(57)【要約】  本発明に係るコネクタは、オスコネクタが外方から挿入される挿入部及び当該挿入部と連通する流路を区画するハウジングと、スリットを有し、前記挿入部を閉塞する弾性弁体と、を備え、前記ハウジングは、前記流路を区画する内壁に、前記弾性弁体の前記スリットを通じて挿入された前記オスコネクタの先端部を受ける先端受け部を備え、前記先端受け部は、前記オスコネクタの挿入方向に直交し、前記先端受け部の少なくとも一部を含む断面において、前記内壁の一部のみに設けられている。
2015015675.tif 000002
【特許請求の範囲】
【請求項１】
オスコネクタが外方から挿入される挿入部及び当該挿入部と連通する流路を区画するハウジングと、
スリットを有し、前記挿入部を閉塞する弾性弁体と、を備え、
前記ハウジングは、前記流路を区画する内壁に、前記弾性弁体の前記スリットを通じて挿入された前記オスコネクタの先端部を受ける先端受け部を備え、
前記先端受け部は、前記オスコネクタの挿入方向に直交し、前記先端受け部の少なくとも一部を含む断面において、前記内壁の一部のみに設けられていることを特徴とするコネクタ。
【請求項２】
前記断面において、前記先端受け部は、前記流路と隣接していることを特徴とする請求項１に記載のコネクタ。
【請求項３】
前記先端受け部は、前記挿入方向に直交する方向において、前記流路側に突出した突出部であることを特徴とする請求項１又は２に記載のコネクタ。
【請求項４】
前記突出部のうち前記オスコネクタの前記先端部を受ける先端受け面は、前記挿入方向に向かうにつれ、前記挿入方向に直交する方向における前記流路側への突出量が大きくなるように延在する延在部を有することを特徴とする請求項３に記載のコネクタ。
【請求項５】
前記突出部は、前記挿入方向で見た場合に、基部から頂部に向かって、漸減的に細くなる構成であることを特徴とする請求項３又は４に記載のコネクタ。
【請求項６】
前記挿入方向に直交する方向において、前記突出部は、前記流路を挟んで対向して設けられていることを特徴とする請求項３乃至５のいずれか１つに記載のコネクタ。
【請求項７】
前記断面において、前記内壁は、前記突出部と、前記突出部の両側で連続する円弧状部と、を有することを特徴とする請求項３乃至６のいずれか１つに記載のコネクタ。
【請求項８】
前記ハウジングは、前記弾性弁体を保持すると共に前記流路を区画する分岐ポート部と、前記オスコネクタの前記挿入方向と直交する方向において、前記流路を挟んで一方側に位置する上流ポート部と、前記流路を挟んで他方側に位置する下流ポート部と、を備え、前記流路を第１流路とした場合に、前記上流ポート部が、前記第１流路と連通する略円柱状の第２流路を区画するとともに、前記下流ポート部が、前記第１流路と連通する略円筒状の第３流路を区画していることを特徴とする請求項１乃至７のいずれか１つに記載のコネクタ。
【請求項９】
前記ハウジングは、略円筒状のホルダ本体を備え、
前記ホルダ本体の内部には、前記ホルダ本体の内壁と共に中空部を区画するコックが回転可能に収容されており、
前記流路を第１流路とした場合に、前記ホルダ本体の外壁には、前記弾性弁体を保持すると共に、前記中空部と連通可能な前記第１流路を区画する分岐ポート部と、前記中空部に連通可能な、略円柱状の第２流路を区画する上流ポート部と、前記中空部に連通可能な、略円柱状の第３流路を区画する下流ポート部と、が設けられており、
前記第２流路を流れる液体を、前記中空部及び前記第１流路を介して前記第３流路に供給可能な請求項１乃至７のいずれか１つに記載のコネクタ。
【請求項１０】
前記ハウジングは、前記分岐ポート部が区画する前記流路を、当該分岐ポート部に挿入される前記オスコネクタの前記挿入方向と直交する方向において２分割する仕切壁を備え、
前記先端受け部が、前記オスコネクタの前記先端部を受けた状態において、前記先端部と前記仕切壁とは非接触であることを特徴とする請求項８又は９に記載のコネクタ。
【請求項１１】
前記先端受け部は、前記オスコネクタの前記先端部を、前記弾性弁体を介して受けることを特徴とする請求項１乃至１０のいずれか１つに記載のコネクタ。
【請求項１２】
請求項１乃至１１のいずれか１つに記載のコネクタを備えることを特徴とする輸液セット。
【発明の詳細な説明】
【技術分野】
【０００１】
本発明は、コネクタ及び輸液セットに関し、特に、例えば各種医療機器や輸液容器等のオスコネクタを接続可能なコネクタ及び当該コネクタを備える輸液セットに関する。
【背景技術】
【０００２】
従来から、輸液、輸血、人工透析などを行う場合は、医療用チューブを用いて液体を体内へ送る。そして、チューブ内の液体に薬液などの別の液体を合流させる場合には、シリンジやルアーテーパ部材等のオスコネクタと医療用のチューブとを液密に接続可能なコネクタが用いられる。なお、シリンジやルアーテーパ部材等のオスコネクタをオスルアーと呼称し、このオスルアーに接続されるコネクタをメスルアーと呼称することがある。【０００３】
このようなオスコネクタを接続可能なコネクタは、例えば特許文献１に開示されている。具体的に特許文献１には、中央部に挿入孔の形成されたディスク状の弁と、弁の裏側面の中央部を残して周縁下部を担持する台座と、弁の表側面の中央部を残し少なくとも弁の周縁上部を覆い、弁を拘持するカバーと、を有するコネクタとしての混注ポートが開示されている。【０００４】
更に特許文献１には、中央には円形の嵌合孔が形成されたカバーが開示されている。オスコネクタ等の挿入体が挿入された場合に、嵌合孔を形成するカバーの縁端部が挿入体を係止する係止手段となって、挿入体が弁の挿入孔及びカバーの嵌合孔によって係止される。
【先行技術文献】
【特許文献】
【０００５】
【特許文献１】特許第３３８９９８３号公報
【発明の概要】
【発明が解決しようとする課題】
【０００６】
しかしながら、特許文献１における上述の混注ポートでは、使用者によってオスコネクタ等の挿入体の挿入長さが長くなってしまうことがあり、かかる場合に、弁及びカバーに対して大きな負荷がかかる恐れがある。【０００７】
本発明の目的は、上記問題に鑑み、オスコネクタがコネクタの内方に過度に挿入されることを抑制可能なコネクタ、及び当該コネクタを備える輸液セットを提供することである。
【課題を解決するための手段】
【０００８】
上記目的を達成するために、本発明の第１の態様としてのコネクタは、オスコネクタが外方から挿入される挿入部及び当該挿入部と連通する流路を区画するハウジングと、スリットを有し、前記挿入部を閉塞する弾性弁体と、を備え、前記ハウジングは、前記流路を区画する内壁に、前記弾性弁体の前記スリットを通じて挿入された前記オスコネクタの先端部を受ける先端受け部を備え、前記先端受け部は、前記オスコネクタの挿入方向に直交し、前記先端受け部の少なくとも一部を含む断面において、前記内壁の一部のみに設けられていることを特徴とするものである。【０００９】
本発明の一実施形態として、前記断面において、前記先端受け部は、前記流路と隣接していることが好ましい。【００１０】
本発明の一実施形態として、前記先端受け部は、前記挿入方向に直交する方向において、前記流路側に突出した突出部であることが好ましい。【００１１】
本発明の一実施形態として、前記突出部のうち前記オスコネクタの前記先端部を受ける先端受け面は、前記挿入方向に向かうにつれ、前記挿入方向に直交する方向における前記流路側への突出量が大きくなるように延在する延在部を有することが好ましい。【００１２】
本発明の一実施形態として、前記突出部は、前記挿入方向で見た場合に、基部から頂部に向かって、漸減的に細くなる構成であることが好ましい。【００１３】
本発明の一実施形態として、前記挿入方向に直交する方向において、前記突出部は、前記流路を挟んで対向して設けられていることが好ましい。【００１４】
本発明の一実施形態として、前記断面において、前記内壁は、前記突出部と、前記突出部の両側で連続する円弧状部と、を有することが好ましい。【００１５】
本発明の一実施形態として、前記ハウジングは、前記弾性弁体を保持すると共に前記流路を区画する分岐ポート部と、前記オスコネクタの前記挿入方向と直交する方向において、前記流路を挟んで一方側に位置する上流ポート部と、前記流路を挟んで他方側に位置する下流ポート部と、を備え、前記流路を第１流路とした場合に、前記上流ポート部が、前記第１流路と連通する略円柱状の第２流路を区画するとともに、前記下流ポート部が、前記第１流路と連通する略円筒状の第３流路を区画していることが好ましい。【００１６】
本発明の一実施形態として、前記ハウジングは、略円筒状のホルダ本体を備え、前記ホルダ本体の内部には、前記ホルダ本体の内壁と共に中空部を区画するコックが回転可能に収容されており、前記流路を第１流路とした場合に、前記ホルダ本体の外壁には、前記弾性弁体を保持すると共に、前記中空部と連通可能な前記第１流路を区画する分岐ポート部と、前記中空部に連通可能な、略円柱状の第２流路を区画する上流ポート部と、前記中空部に連通可能な、略円柱状の第３流路を区画する下流ポート部と、が設けられており、前記第２流路を流れる液体を、前記中空部及び前記第１流路を介して前記第３流路に供給可能な構成であることが好ましい。【００１７】
本発明の一実施形態として、前記ハウジングは、前記分岐ポート部が区画する前記流路を、当該分岐ポート部に挿入される前記オスコネクタの前記挿入方向と直交する方向において２分割する仕切壁を備え、前記先端受け部が、前記オスコネクタの前記先端部を受けた状態において、前記先端部と前記仕切壁とは非接触であることが好ましい。【００１８】
本発明の一実施形態として、前記先端受け部は、前記オスコネクタの前記先端部を、前記弾性弁体を介して受けることが好ましい。【００１９】
本発明の第２の態様は、前記コネクタを備える輸液セットである。
【発明の効果】
【００２０】
本発明のコネクタ、及び当該コネクタを備える輸液セットは、オスコネクタが挿入される場合に、オスコネクタの挿入長さが過度に長くなることを抑制することができる。
【図面の簡単な説明】
【００２１】
【図１Ａ】本発明の一実施形態としてのコネクタ１の断面図である。
【図１Ｂ】コネクタ１を構成する各部材の斜視図である。
【図２】図２Ａはコネクタ１に用いる弾性弁体３の天面を示し、図２Ｂは底面を示すものである。
【図３】図３Ａは図２ＢのＩ方向から見た弾性弁体３の側面図を示し、図３Ｂは図２ＢのＩＩ方向から見た側面図を示すものである。
【図４】図４Ａは、図２Ｂの弾性弁体３のＩＩＩ−ＩＩＩ断面図を示し、図４Ｂは図２ＢのＩＶ−ＩＶ断面図を示すものである。
【図５】コネクタ１の分岐ポート部１３の拡大断面図である。
【図６】コネクタ１のホルダ８単体を、オスコネクタの挿入方向で見た図である。
【図７】コネクタ１のホルダ８単体の斜視図である。
【図８】図７のうちキャップ支持部１４を拡大した斜視図である。
【図９】コネクタ１の１つの変形例を示す図である。
【図１０】コネクタ１の別の変形例を示す図である。
【図１１】コネクタ１にオスコネクタが挿入されている状態での断面図である。
【図１２】図１１のうちオスコネクタの先端部の拡大断面図である。
【図１３】本発明の一実施形態として、コネクタ１を備える輸液セット１１０を示す図である。
【発明を実施するための形態】
【００２２】
以下、本発明に係るコネクタ及び輸液セットの実施形態について、図１〜図１３を参照して説明する。なお、各図において共通の部材には、同一の符号を付している。
【００２３】
まず、本発明に係るコネクタの１つの実施形態について説明する。図１Ａは本実施形態におけるコネクタ１としての三方活栓１ａを示す断面図である。また、図１Ｂは、三方活栓１ａを各部材に分解した状態での斜視図である。
【００２４】
図１Ａ及び図１Ｂに示すように、コネクタ１は、ハウジング２と、このハウジング２に取り付けられる弾性弁体３と、ハウジング２の内部に収容されるコック４と、を備える。
【００２５】
図１に示すように、ハウジング２は、オスコネクタ１００（図１１参照）が外方から挿入される挿入部５、及びこの挿入部５とオスコネクタ１００の挿入方向Ａにおいて連通する流路６を区画している。弾性弁体３は、オスコネクタ１００がコネクタ１に着脱される際に弾性変形して開閉することができるようにスリット７を有しており、ハウジング２が区画する挿入部５を閉塞している。ここで、ハウジング２の挿入部５とは、オスコネクタ１００が挿入されていない状態で、弾性弁体３が位置する空間である。従って、ハウジング２の流路６は、同状態で、弾性弁体３の内方側に位置する。なお、挿入部５と流路６とが「連通する」とは、両空間が繋がっていることを意味しており、両空間が直接繋がっていることのみならず、別の空間を介して繋がっていることも含む意味である。
【００２６】
具体的に、本実施形態におけるハウジング２は、ホルダ８と、キャップ９と、を備えている。ホルダ８は、コック４を内部に収容する略円筒状のホルダ本体１０と、ホルダ本体１０の外壁に設けられた上流ポート部１１と、ホルダ本体１０を挟み、上流ポート部１１とは反対側の位置でホルダ本体１０の外壁に設けられた下流ポート部１２と、ホルダ本体１０の外壁に設けられ、キャップ９と共に分岐ポート部１３を構成し、キャップ９を支持するキャップ支持部１４と、を備えている。なお、図１で示す略円筒状の下流ポート部１２の外周には、下流ポート部１２が別のコネクタと接続するために用いられる、内周面にネジ山が形成された略円筒状のロックコネクタ１２０が取り付けられている。
【００２７】
本実施形態では、ハウジング２のうち分岐ポート部１３が、上述の挿入部５及び流路６を区画している。また、挿入部５を区画するキャップ９が、弾性弁体３を保持することにより、弾性弁体３が挿入部５を閉塞している。より具体的には、キャップ９は、天面キャップ１５と底面キャップ１６とを備え、天面キャップ１５の内壁の一部と、底面キャップ１６の内壁の一部とにより、挿入部５が区画されている。そして弾性弁体３は、天面キャップ１５及び底面キャップ１６により挟持されることによって、この挿入部５内に保持され、位置が固定されている。なお、本実施形態における流路６は、底面キャップ１６及びキャップ支持部１４により区画されている。
【００２８】
図１において矢印で示すように、ホルダ本体１０は、内部にコック４を収容した状態で、上流ポート部１１、下流ポート部１２、及び分岐ポート部１３それぞれが区画する流路を接続する機能を有するものである。具体的に、コック４は、外周面の一部に溝部５０（図１Ｂ参照）が形成され、ホルダ本体１０の内部に収容される略円柱状の流路切換部５１と、この流路切換部５１をホルダ本体１０の内部で回転可能にする把持部５２（図１Ｂ参照）と、を備え、ホルダ本体１０の内壁と、流路切換部５１の外壁に形成された溝部５０の溝壁と、によって、上流ポート部１１、下流ポート部１２、及び分岐ポート部１３それぞれが区画する流路を互いに接続する中空部５３を区画している。
【００２９】
ここで、本実施形態では、上流ポート部１１、下流ポート部１２、及び分岐ポート部１３それぞれが区画する流路を区別するために、以下、分岐ポート部１３が区画する流路６を第１流路１７、上流ポート部１１が区画する略円柱状の流路を第２流路１８、下流ポート部１２が区画する略円柱状の流路を第３流路１９と記載する。
【００３０】
キャップ支持部１４は、キャップ９としての天面キャップ１５及び底面キャップ１６、を支持している。なお、本実施形態では天面キャップ１５及び底面キャップ１６の両方がキャップ支持部１４に接触して支持される構成であるが、底面キャップ１６を天面キャップ１５に保持させて、天面キャップ１５のみをキャップ支持部１４に接触させてキャップ支持部１４に支持させる構成を採用してもよい。また逆に天面キャップ１５を底面キャップ１６に保持させて、底面キャップ１６のみをキャップ支持部１４に接触させてキャップ支持部１４に支持させる構成であってもよい。
【００３１】
ハウジング２を構成するホルダ８としてのホルダ本体１０、上流ポート部１１、下流ポート部１２、及びキャップ支持部１４、並びにキャップ９としての天面キャップ１５及び底面キャップ１６の材料としては、例えば、ポリエチレン、ポリプロピレン、エチレン−プロピレン共重合体等のポリオレフィン；エチレン−酢酸ビニル共重合体（ＥＶＡ）；ポリ塩化ビニル；ポリ塩化ビニリデン；ポリスチレン；ポリアミド；ポリイミド；ポリアミドイミド；ポリカーボネート；ポリ−（４−メチルペンテン−１）；アイオノマー；アクリル樹脂；ポリメチルメタクリレート；アクリロニトリル−ブタジエン−スチレン共重合体（ＡＢＳ樹脂）；アクリロニトリル−スチレン共重合体（ＡＳ樹脂）；ブタジエン−スチレン共重合体；ポリエチレンテレフタレート（ＰＥＴ）、ポリブチレンテレフタレート（ＰＢＴ）、ポリシクロヘキサンテレフタレート（ＰＣＴ）等のポリエステル；ポリエーテル；ポリエーテルケトン（ＰＥＫ）；ポリエーテルエーテルケトン（ＰＥＥＫ）；ポリエーテルイミド；ポリアセタール（ＰＯＭ）；ポリフェニレンオキシド；変性ポリフェニレンオキシド；ポリサルフォン；ポリエーテルサルフォン；ポリフェニレンサルファイド；ポリアリレート；芳香族ポリエステル（液晶ポリマー）；ポリテトラフルオロエチレン、ポリフッ化ビニリデン、その他フッ素系樹脂；などの各種樹脂材料が挙げられる。また、これらのうちの１種以上を含むブレンド体やポリマーアロイなどでもよい。その他に、各種ガラス材、セラミックス材料、金属材料であってもよい。
【００３２】
弾性弁体３は、金型成形され、弾性変形可能に形成される。この弾性弁体３の材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマが挙げられ、これらのうちの１種または２種以上を混合したものであってもよい。
【００３３】
また、弾性弁体３の硬度は、２０〜６０°（Ａ硬度）であることが好ましい。これにより、弾性弁体３に適度な弾性力を確保することができるため、弾性弁体３に後述する弾性変形を生じさせることができる。
【００３４】
コック４としての流路切換部５１及び把持部５２の材料としては、上述のハウジング２と同様の材料を使用することが可能である。
【００３５】
以下に、本実施形態における各部材及び各部材により構成される特徴部の詳細について説明する。
【００３６】
［弾性弁体３］
図２Ａ及び図２Ｂは、弾性弁体３単体の天面２０及び底面２１をそれぞれ示した図であり、図３Ａ及び図３Ｂは、図２Ｂで示すＩ及びＩＩからそれぞれ見た弾性弁体３の側面図を示している。また、図４Ａ及び図４Ｂは、図２Ｂにおける弾性弁体３のＩＩＩ−ＩＩＩ及びＩＶ−ＩＶ断面図をそれぞれ示した図である。
【００３７】
図２〜図４に示すように、弾性弁体３は、ディスク状の外形を有するディスク状弁体であって、天面２０は、平面状の天面中心部領域２２と、当該天面中心部領域２２よりも半径方向外側に位置する天面外部領域２３とにより構成されている。天面中心部領域２２は、天面外部領域２３よりも外方（図３、図４においては上方）に突出した形状であって、天面中心部領域２２の中央には一文字状のスリット７が形成されている。このスリット７は金型成形されるものであり、成形時には底面２１まで貫通しておらず、金型成形後の例えば最初のオスコネクタ１００（図１１参照）の挿入時において、底面２１まで貫通する構成としている。なお、スリット７を貫通させる工程を金型成形が完了した後に製造工程の一部として実行することも可能である。また、図２Ａに示すように、天面中心部領域２２は、弾性弁体３が挿入部５（図１参照）に収容されていない状態で、スリット７の長手方向（延在方向）側に短軸を有し、スリット７の長手方向と直交する方向に長軸を有する楕円形状に形成されている。この天面中心部領域２２は、弾性弁体３が挿入部５内に収容されると、楕円の長軸側が内壁３５（図１参照）に押されて円形を呈し、これに伴いスリット７の内面同士が密着して閉じられる。なお、図１及び後に参照する図５、図９、及び図１０においては、スリット７を、構成の理解を容易にするため、密着して閉じられた状態として描いていない。図４に示すように天面外部領域２３には天面中心部領域２２を取り囲むように天面環状溝２４が形成されており、後述する天面キャップ１５の係止突起３４（図５参照）がこの天面環状溝２４に入り込み弾性弁体３を圧縮して挟持部の一部を構成する。また、本実施形態の天面環状溝２４は、図４の断面視において天面中心部領域２２側の溝壁が円弧状に形成されている。このような構成とすることにより、弾性弁体３の復元性能を向上させることができる。なお、本実施形態では天面環状溝２４が天面中心部領域２２と隣接する位置、すなわち図４の断面視において外方に突出した天面中心部領域２２の側壁２５が、天面環状溝２４の溝壁をも構成しているが、天面環状溝２４の位置や形状は、天面キャップ１５の係止突起３４の位置や形状に応じて適宜変更することが可能である。
【００３８】
弾性弁体３の天面２０とは反対側の面である底面２１は、平面状の底面中心部領域２６と、この底面中心部領域２６よりも半径方向外側に位置する厚肉部領域２７と、厚肉部領域２７よりも更に半径方向外側に位置する底面外部領域２８とを有している。底面中心部領域２６にはスリット７が形成されていないが、上述したとおり、例えば最初のオスコネクタ１００（図１１参照）の挿入時において、天面２０に形成されているスリット７の先端部と底面中心部領域２６との間の部分が裂けることによって、スリット７は天面中心部領域２３から底面中心部領域２６まで連通する。厚肉部領域２７は、底面中心部領域２６及び底面外部領域２８よりも外方（図３、図４においては下方）に突出している。厚肉部領域２７を設けない構成の場合には、オスコネクタ１００の挿入時や抜去時に弾性弁体３に過剰な負荷がかかる時や、オスコネクタ１００を繰り返し着脱した時に、連通したスリット７の底面２１側の長手方向端部が裂けてしまうという問題があるが、厚肉部領域２７を設けることにより長手方向端部が補強されて上記問題の発生を抑制することが可能である。なお、本実施形態では、弾性弁体３を底面２１側から見た場合に、天面２０に形成されているスリット７の周りを取り囲むように環状の厚肉部領域２７が形成され、その中でもスリット７の長手方向外側の位置での肉厚が最も厚く形成されている。このような構成とすることにより、スリット７端部が裂けることを抑制すると共に、弾性弁体３のオスコネクタ挿入性の良さと弾性復元力の維持とを両立することが可能となる。底面外部領域２８は、厚肉部領域１７を取り囲むように底面環状溝２９が形成されており、後述する底面キャップ１６の係止突起３９がこの底面環状溝２９に入り込み弾性弁体３を圧縮して挟持部の一部を構成する（図５参照）。
【００３９】
［天面キャップ１５］
図５は、コネクタ１における分岐ポート部１３の拡大断面図であり、上述した弾性弁体３が、天面キャップ１５と底面キャップ１６とに挟持されている状態を示すものである。図５を参照しながら天面キャップ１５、底面キャップ１６、及びキャップ支持部１４の構成を以下に説明する。
【００４０】
図５に示すように、天面キャップ１５は、略円筒状の中空筒部３０と、中空筒部３０の一端側に設けられたフランジ部３１により構成されている。図５に示すように中空筒部３０の他端側である上面（図５における上面）には、オスコネクタ１００が外方より挿入される挿入部５の一端となる、略円形の挿入口を区画する縁部３２があり、中空筒部３０の外周面にはＩＳＯ５９４で規定されたロックコネクタと螺合することができるようにねじ山３３が形成されている。フランジ部３１は、中空筒部３０と一体で型成形された部位であり、フランジ部３１が後述するホルダ８のキャップ支持部１４と係合することにより天面キャップ１５がキャップ支持部１４に保持される構成である。
【００４１】
図５に示すように、中空筒部３０の内壁のうち縁部３２の近傍には、オスコネクタ１００の挿入方向Ａに向かって突出し、上述した弾性弁体３の天面環状溝２４に入り込んで弾性弁体３を圧縮する係止突起３４が設けられている。縁部３２と係止突起３４の間に形成される内壁３５は、オスコネクタ１００が挿入されていない状態では上述した弾性弁体３の天面中心部領域２２と接触し、オスコネクタ１００が挿入されている状態（図１１参照）ではオスコネクタ１００と接触するように構成されている。つまり、オスコネクタ１００が挿入されていない状態では天面中心部領域２２が内壁３５により囲まれる空間に嵌り込み、オスコネクタ１００が挿入されている状態ではオスコネクタ１００が円筒状の内壁３５により天面キャップ１５と嵌合する。なお、本実施形態における内壁３５は、挿入方向Ａに対して平行な円筒状であるが、オスコネクタ１００の外形に応じて挿入方向Ａに向かって漸減的に内径が小さくなるテーパー状としてもよい。
【００４２】
中空筒部３０の上面には、上述した縁部３２と、この縁部３２を取り囲む平面状の延在部３６とがある。弾性弁体３の天面中心部領域２２が内壁３５により囲まれる空間に嵌まり込んだ状態、すなわちオスコネクタ１００が挿入されていない状態においては、弾性弁体３の天面中心部領域２２が縁部３２の位置（高さ）まで収容され、弾性弁体３の天面中心部領域２２と天面キャップ１５の延在部３６とが同一平面を形成するように構成されている。これにより両者の間には段差が形成されないため、ユーザーがオスコネクタ１００を挿入する直前に通常実施する消毒を目的とした拭き取り作業時において、天面中心部領域２２の全域を容易に拭き取ることが可能となり、弾性弁体３に菌や異物等を残すことなく、衛生的に保つことができる。
【００４３】
［底面キャップ１６］
図５に示すように、底面キャップ１６は、天面キャップ１５と同様、略円筒状の中空筒部３７と、中空筒部３７の一端側に設けられたフランジ部３８とを備える構成である。中空筒部３７の他端側には、オスコネクタ１００の挿入方向Ａとは反対方向に向かって突出し、上述した弾性弁体３の底面環状溝２９に入り込んで弾性弁体３を圧縮し、天面キャップ１５の係止突起３４と共に弾性弁体３を挟持する係止突起３９が設けられている。
【００４４】
底面キャップ１６は、天面キャップ１５の中空筒部３０の内面及び／又はフランジ部３１の下面（図５における下面）に超音波接着されることにより天面キャップ１５により保持され、更に底面キャップ１６のフランジ部３８を後述するキャップ支持部１４により支持することにより位置が固定されている。
【００４５】
［キャップ支持部１４］
図５に示すように、ホルダ８のキャップ支持部１４は、天面キャップ１５及び底面キャップ１６を支持し、その内部に第１流路１７（流路６）の一部を区画している。本実施形態のキャップ支持部１４は、天面キャップ１５及び底面キャップ１６と直接接触することにより両者を支持しているが、例えばキャップ支持部１４が天面キャップ１５とは接触せずに底面キャップ１６のみと直接接触し、天面キャップ１５は底面キャップ１６に接触、支持させる構成としてもよい。すなわちキャップ支持部１４が天面キャップ１５と底面キャップ１６のいずれか一方と直接接触して支持し、他方とは直接接触しない構成としてもよい。なお、直接接触する部材同士は、例えば超音波接着などにより接着するようにすることが好ましい。
【００４６】
なお、本実施形態では、天面キャップ１５及び底面キャップ１６が弾性弁体３を挟持して、弾性弁体３を挿入部５内に保持する構成であるが、例えば、キャップ支持部１４と、底面キャップ１６とが一体の構成、すなわち、底面キャップ１６がホルダ８の一部となる構成としてもよい。
【００４７】
本実施形態では、オスコネクタ１００が挿入されていない状態で、挿入部５が、底面キャップ１６及びキャップ支持部１４により区画される第１流路１７と連通するようになっているが、コネクタ１にオスコネクタ１００が挿入されるときは、オスコネクタ１００の先端部１０１が挿入部５を通って第１流路１７内まで入り込み、オスコネクタ１００内の液体流路と第１流路１７（流路６）のうちキャップ支持部１４が区画するキャップ支持部流路８０とが連通する。
【００４８】
ここで、キャップ支持部１４が区画するキャップ支持部流路８０は、オスコネクタの挿入方向Ａにおいて、第１流路１７のうち底面キャップ１６が区画する底面キャップ流路８１と略円筒状のホルダ本体１０（図１参照）の内部空間とを繋ぐとともに、外方から挿入されるオスコネクタ１００の先端部１０１を受ける先端受け部４０と隣接する中空部である。具体的に、キャップ支持部流路８０は、略円筒状のホルダ本体１０の内部空間と直接連通するホルダ本体側流路４１と、オスコネクタの挿入方向Ａにおいてホルダ本体側流路４１と底面キャップ流路８１との間に位置し、ホルダ本体側流路４１と底面キャップ流路８１とを繋ぐとともに、挿入方向Ａと直交する方向Ｂにおいて、弾性弁体３のスリット７を通じて外方から挿入されるオスコネクタ１００の先端部１０１を受ける先端受け部４０と、隣接する接続流路４２と、を有している。なお、先端受け部４０の詳細については後述する。
【００４９】
また、図５に示すように、本実施形態のキャップ支持部１４は、ホルダ本体側流路４１を２つの流路に分ける仕切壁４３を備える。従って、ホルダ本体側流路４１は、この仕切壁４３を挟んで上流ポート部１１（図１参照）側に位置する流入流路４４と、仕切壁４３を挟んで下流ポート部１２（図１参照）側に位置する流出流路４５と、を有している。仕切壁４３の詳細については後述する。
【００５０】
［先端受け部４０］
次に、キャップ支持部１４に設けられた先端受け部４０について説明する。図６は、天面キャップ１５及び底面キャップ１６（図１Ｂ等参照）が取り外された状態のホルダ８単体をオスコネクタの挿入方向Ａに見た図である。ここで、図５において示されるキャップ支持部１４の断面は、図６におけるＶ−Ｖ断面におけるものである。また、図７は、ホルダ８単体の全体を示す斜視図であり、図８は、ホルダ８のうちキャップ支持部１４を示す斜視図である。以下、図５〜図８を参照して、先端受け部４０の詳細について説明する。
【００５１】
先端受け部４０は、上述したとおり、弾性弁体３のスリット７を通じて外方から挿入されるオスコネクタ１００の先端部１０１を受けることにより、オスコネクタ１００が、オスコネクタの挿入方向Ａにおいて、コネクタ１の内方へと過度に挿入されることを抑制するものである。
【００５２】
図５に示すように、先端受け部４０は、接続流路４２を区画する内壁４６に設けられている。また、図６〜図８に示すように、先端受け部４０は、オスコネクタの挿入方向Ａと直交する断面が略円形状を有する、接続流路４２の一断面（本実施形態では弾性弁体３側の端部での接続流路４２の断面であり、別の言い方をすると、キャップ支持部１４の弾性弁体３側の面において接続流路４２の一端を区画する、図５及び図６で示す縁５４を含む断面）の周方向を「Ｃ」とした場合に、先端受け部４０は、周方向Ｃにおいて、接続流路４２を区画する内壁４６の一部のみに設けられている。つまり、オスコネクタの挿入方向Ａに直交し、先端受け部４０の少なくとも一部を含む断面（例えば、図５におけるＶＩ−ＶＩ断面）において、先端受け部４０は、内壁４６の一部のみに設けられており、同断面における内壁４６全域に設けられてはいない。また、同断面において、先端受け部４０は、キャップ支持部流路８０のうち接続流路４２と隣接している。つまり、同断面における先端受け部４０の周囲は、輸液剤の流路であり、後述するように、輸液剤の一部は先端受け部４０を挟むよう分岐して流れる。
【００５３】
なお、本実施形態では、先端受け部４０が、第１流路１７のうち、キャップ支持部流路８０を区画する内壁４６に設けられているが、先端受け部４０を、底面キャップ流路８１を区画する底面キャップ１６の内壁に設けるような構成としてもよい。
【００５４】
図６〜図８に示すように、先端受け部４０は、オスコネクタの挿入方向Ａで見た場合に、オスコネクタの挿入方向Ａに直交する方向Ｂにおいて、接続流路４２側（図６においてはホルダ本体側流路４１側と同じ）に突出する突出部４０ａである。より具体的に、本実施形態における先端受け部４０は、この先端受け部４０を挿入方向Ａで見た場合に、接続流路４２を区画する内壁４６のうち、同方向Ｂにおいて接続流路４２側に突出する部分である。そのため、オスコネクタの挿入方向Ａに直交し、先端受け部４０としての突出部４０ａの少なくとも一部を含む断面において、内壁４６は、突出部４０ａと、この突出部４０ａの両側で連続する円弧状部５７と、を有している。
【００５５】
先端受け部４０は、外方から挿入されるオスコネクタ１００の先端部１０１を受ける先端受け面４７を有する。本実施形態の先端受け面４７は、図５に示すように、先端受け部４０としての突出部４０ａのうち、弾性弁体３側の面であり、突出部４０ａの基部４８から頂部４９に亘って延在している。具体的に、この先端受け面４７は、側面オスコネクタ１００の挿入方向Ａに向かうにつれ、挿入方向Ａに直交する方向Ｂにおける接続流路４２側への突出量（本実施形態では、挿入方向Ａに直交する方向Ｂにおける縁５４からの長さ）が大きくなるように延在する面である第１延在部５５と、この第１延在部５５の頂部４９側の端部で連続して頂部４９まで延在する、挿入方向Ａに直交する平面を有する第２延在部５６と、を有している。本実施形態では、オスコネクタ１００の先端部１０１が、第１延在部５５と、弾性弁体３を介して突き当たる構成であるが、この点の詳細は後述する（図１１、図１２参照）。
【００５６】
なお、本実施形態では、第１延在部５５及び第２延在部５６が共に平面状の面により構成されているが、これに限られるものではなく、例えば、第１延在部５５及び／又は第２延在部５６を円弧状の面により構成することも可能である。
【００５７】
また、突出部４０ａを、オスコネクタの挿入方向Ａで見た場合、この突出部４０ａは、基部４８から頂部４９に向かって、漸減的に細くなる形状である。頂部４９側を基部４８側よりも細くする、すなわち、本実施形態では周方向Ｃにおける幅Ｗを小さくすることにより、挿入方向Ａと直交する断面における接続流路４２の面積が小さくなることを抑制するとともに、基部４８側を頂部４９側よりも太くする、すなわち、本実施形態では周方向Ｃにおける幅Ｗを大きくことによりオスコネクタ１００の先端部１０１を受けるための強度を確保することが可能となる。
【００５８】
なお、本実施形態では、オスコネクタの挿入方向Ａで見た場合の突出部４０ａの外形が、正弦波曲線のような曲線形状をし、頂部４９が円弧形状を有する構成としているが、このような形状に限られるものではなく、例えば、直線により構成される部分を有する形状としてもよい。
【００５９】
更に、突出部４０ａは、周方向Ｃにおいて複数設けられている。本実施形態では、図６に示すように、挿入方向Ａと直交する方向Ｂにおいて、接続流路４２を挟んで対向するように、２つ設けられているが、突出部４０ａの数は２つに限られるものではなく、３つ以上とすることも可能である。また、本実施形態における２つの突出部４０ａは、挿入方向Ａと直交する方向Ｂにおいて、接続流路４２を挟んで対向して設けられているが、これに限られるものではなく、挿入方向Ａと直交する方向Ｂにおいて、接続流路４２を挟んで対向しない位置に設けるようにしてもよい。
【００６０】
但し、本実施形態では、後述する仕切壁４３との関係により、図６に示すように、挿入方向Ａと直交する方向Ｂのうち、上流ポート部１１から下流ポート部１２に向かう方向Ｄにおいて、接続流路４２を挟んで対向して設けられている。具体的に、本実施形態の突出部４０ａは、図６に示すように、上流ポート部１１側の第１突出部４０１ａ、及び下流ポート部１２側の第２突出部４０２ａが対向する構成である。
【００６１】
ここで、本実施形態では、コネクタ１として三方活栓１ａを挙げて説明しているが、先端受け部４０については、三方活栓に限らず、例えば図９で示すような、直線状の流路のみを有する直線型コネクタ１ｂや、図１０で示すような、コックを有さずにＴ字型の流路を有するＴ字型コネクタ１ｃについても適用することが可能である。
【００６２】
具体的に、直線型コネクタ１ｂは、本実施形態における三方活栓１ａと比較して、ホルダの形状が異なる点で主に相違しており、三方活栓１ａと同一の構成要素については図９でも同一の符号を用いている。直線型コネクタ１ｂのホルダ８ｂは、内周面にロックコネクタ用のねじ山が設けられた略円筒状の筒部９０と、この筒部９０の中空部に設けられたオスルアー部９１と、を備える。このホルダ８ｂにおけるオスルアー部９１の内壁が略円柱状の流路９２を区画している。また、ホルダ８ｂの内壁は、この流路９２と底面キャップ流路８１とを接続する接続流路９３を区画している。この接続流路９３を区画するホルダ８ｂの内壁は、図５〜８で示す三方活栓１ａの接続流路４２と同様の形状であり、先端受け部４０としての突出部４０ａが設けられる。
【００６３】
また、Ｔ字型コネクタ１ｃは、本実施形態における三方活栓１ａと比較して、コックを有さない点、及びコックを有さないことによってホルダの形状が異なる点で主に相違しており、三方活栓１ａと同一の構成要素については図１０でも同一の符号を用いている。Ｔ字型コネクタ１ｃのホルダ８ｃは、弾性弁体３を保持すると共に流路９４を区画する分岐ポート部１３ｃと、オスコネクタ１００の挿入方向Ａと直交する方向Ｂにおいて、流路９４を挟んで一方側に位置する上流ポート部１１ｃと、流路９４を挟んで他方側に位置する下流ポート部１２ｃと、を備えている。流路９４を第１流路９５とした場合に、上流ポート部１１ｃが、第１流路９５と連通する略円柱状の第２流路９６を区画するとともに、下流ポート部１２ｃが、第１流路９５と連通する略円筒状の第３流路９７を区画している。また、Ｔ字型コネクタ１ｃは、オスコネクタ１００が挿入部５に挿入されていない状態で輸液剤が第２流路９６から第３流路９７へと流される際に、輸液剤を挿入部５側に導く仕切壁４３ｃを、第２流路９６と第３流路９７との間に備えている。そして、第１流路９５は、底面キャップ１６が区画する底面キャップ流路８１と、ホルダ８ｃが区画するホルダ流路９８と、から構成されており、ホルダ流路９８を区画する内壁に、外方から挿入されるオスコネクタ１００の先端部１０１を受ける先端受け部４０が設けられている。そして先端受け部４０は、オスコネクタの挿入方向Ａと直交し、先端受け部４０の少なくとも一部を含む断面において、ホルダ８ｃの内壁の一部のみに設けられる。
【００６４】
上述のように、先端受け部４０はコネクタ１としての三方活栓１ａのみならず、直線型コネクタ１ｂやＴ字型コネクタ１ｃにおいても適用可能であるが、先端受け部４０は、オスコネクタ１００が挿入されていない状態でも輸液ラインのメインラインの一部として使用可能な本実施形態の三方活栓１ａや、上述のＴ字型コネクタ１ｃにおいて用いることが特に有効である。オスコネクタ１００が挿入されている状態においてオスコネクタ１００の先端部１０１を受ける機能に加えて、オスコネクタ１００が挿入されていない状態であっても、分岐ポート部１３が区画する第１流路１７の底面キャップ流路８１内又はその近傍における輸液剤の乱流の形成に寄与し、底面キャップ１６の内壁付近等に停滞した栄養剤や薬液を押し流し、栄養剤や薬液がそのまま停滞することを抑制することができるためである。栄養剤や薬液がコネクタ内で停滞すると、例えば、栄養剤の場合、コネクタ内に菌が繁殖する恐れがあり、衛生的に好ましくない。また、薬液の場合には、投与すべき異なる薬液との予期せぬ混合が発生してしまう恐れがある。
【００６５】
この点を、図１、図５〜図８を参照して詳しく説明する。突出部４０ａは、オスコネクタ１００の挿入方向Ａに直交し、突出部４０ａの少なくとも一部を含む断面（例えば図５におけるＶＩ−ＶＩ断面）において、第１流路１７（流路６）の接続流路４２と隣接している。より具体的には、周方向Ｃにおける突出部４０ａの両側は、第１流路１７（流路６）の接続流路４２である。このような構成とすることにより、オスコネクタ１００が挿入されていない状態で、分岐ポート部１３の第１流路１７（流路６）に輸液剤が流れる場合であっても、突出部４０ａの存在によって、第１流路１７内で輸液剤の一部の流れを分流及び合流させることができ、この合流、及び／又は分流時に発生する輸液剤と突出部４０ａとの衝突によって、輸液剤の乱流を発生させることができる。
【００６６】
本実施形態における突出部４０ａのうち第１突出部４０１ａ（図５〜図８参照）は、流入流路４４から底面キャップ流路８１（図５参照）へと流れ込む輸液剤の一部を、２方向に分岐する。つまり、流入流路４４から底面キャップ流路８１へと向かう輸液剤の一部の流れは、第１突出部４０１ａの外壁に沿うように複数の方向に分岐され、分岐したそれぞれの流れが、異なる経路を経由して底面キャップ流路８１へと向かうことになる。そして、第１突出部４０１ａにより一旦分岐した輸液剤の流れは、第１突出部４０１ａを越えた後で再び合流するため、底面キャップ流路８１内又はその近傍で、合流による乱流が形成される。更に、底面キャップ流路８１から流出流路４５へと流出する輸液剤の一部は、第２突出部４０２ａ（主に、第２突出部４０２ａの先端受け面４７）と衝突するため、ここでも輸液剤の乱流を形成することができる。
【００６７】
すなわち、底面キャップ流路８１内又はその近傍で、第１突出部４０１ａ及び第２突出部４０２ａによって、輸液剤の乱流を形成することができるため、例えば、底面キャップ１６の内壁や弾性弁体３の底面などに停滞してしまう輸液剤等を低減することができる。
【００６８】
更に、本実施形態では、第１突出部４０１ａに対して周方向Ｃにおける両側に位置する流路を流れる輸液剤が、底面キャップ１６における中空筒部３７の内壁に向かって底面キャップ流路８１内へと流入するようにしている。具体的には、図６で示すＶＩＩ−ＶＩＩ断面で見た場合の、第１突出部４０１ａの周方向Ｃにおける両側に位置する流路を区画する、キャップ支持部１４の内壁６０は、底面キャップ１６が取り付けられた際にキャップ支持部１４の内壁と中空筒部３７の内壁との間の接続部で大きな段差が形成されないように、中空筒部３７の内壁と繋がっている（図５参照）。このような構成とすることにより、分岐ポート部１３が上向き（鉛直方向）及び横向き（水平方向）のいずれの状態で使用される場合であっても、底面キャップ流路８１内に流入した輸液剤を、中空筒部３７の内壁及び弾性弁体３の底面に沿うように流すことが可能となる。なお、ＶＩＩ−ＶＩＩ断面は図５に示す断面とは異なる断面であるが、説明の便宜上、図５において、ＶＩＩ−ＶＩＩ断面におけるキャップ支持部１４の内壁を破線で示している。
【００６９】
第２突出部４０２ａに対して周方向Ｃにおける両側に位置する流路についても、第１突出部４０１ａに対して周方向Ｃにおける両側に位置する流路と同様の構成を有する。このような構成とすることにより、分岐ポート部１３が上向き（鉛直方向）及び横向き（水平方向）のいずれの状態で使用される場合であっても、中空筒部３７の内壁付近に輸液剤が停滞することを抑制し、輸液剤を底面キャップ流路８１から円滑に流出させることが可能となる。特に、分岐ポート部１３が横向き（水平方向）の状態で使用される場合であって、第２突出部４０２ａの周方向Ｃにおける両側に位置する流路を区画する、キャップ支持部１４の内壁と、中空筒部３７の内壁との間に上述の段差が形成されている場合には、重力によって輸液剤が中空筒部３７の内壁上に溜まりやすくなるため、上述のように段差が形成されないように構成することが有効である。
【００７０】
［仕切壁４３］
図１に示すように、本実施形態における仕切壁４３は、オスコネクタ１００（図１１参照）が分岐ポート部１３に挿入されていない状態において、上流ポート部１１が区画する第２流路１８から下流ポート部１２が区画する第３流路１９に向かう輸液剤を、分岐ポート部１３が区画する第１流路１７の底面キャップ流路８１まで経由させることを可能にするものである。仕切壁４３が存在しないと、ホルダ本体１０とコック４の流路切換部５１とにより区画される中空部５３から第１流路１７に流入する輸液剤は、底面キャップ流路８１まで到達しない可能性があるが、仕切壁４３を設けることにより、第１流路１７に流入する輸液剤を確実に底面キャップ流路８１まで到達させることができるため、第１流路１７の底面キャップ流路８１の周辺で輸液剤が停滞してしまうことを抑制できる。
【００７１】
図５に示すように、仕切壁４３は、分岐ポート部１３が区画するホルダ本体側流路４１を、分岐ポート部１３に挿入されるオスコネクタ１００の挿入方向Ａと直交する方向Ｂにおいて２分割する板状部材であり、図６に示すように、仕切壁４３は、キャップ支持部１４の内壁に保持されている。また、図１、図５に示すように、仕切壁４３は、第２流路１８から第１流路１７における底面キャップ流路８１へと流入する輸液剤が通過する流入流路４４と、底面キャップ流路８１から第３流路１９へと流出する輸液剤が通過する流出流路４５と、を区分けしている。なお、本実施形態では、図６に示すように、流入流路４４及び流出流路４５のオスコネクタの挿入方向Ａに直交する断面形状が、略長方形の形状をしているが、この形状に限られるものではない。また、仕切壁４３についても、平板に限らず曲面を有する板状部材であってもよい。
【００７２】
ここで本実施形態では、仕切壁４３と、上述の突出部４０ａとを併用している。これら２つを併用することは、オスコネクタ１００が挿入されていない状態で、輸液剤や薬液が、底面キャップ１６の内壁や弾性弁体３の底面に停滞してしまうことを一層抑制可能なため特に有効である。
【００７３】
また、オスコネクタ１００が挿入され、オスコネクタ１００の先端部１０１が先端受け部４０としての突出部４０ａに受けられている状態において、オスコネクタ１００の先端部１０１は、仕切壁４３とは接触しない構成である。この点については後述する。
【００７４】
［分岐ポート部１３にオスコネクタ１００が挿入されていない状態でのコネクタ１］
次に、分岐ポート部１３にオスコネクタ１００が挿入されていない状態での、コネクタ１内での輸液剤の流れについて図１を用いて説明する。分岐ポート部１３にオスコネクタ１００が挿入されていない状態では、コネクタ１は、輸液ラインのメインラインの一部を構成する。
【００７５】
上述したように、略円筒状のホルダ本体１０の内部には、ホルダ本体１０の内壁と共に中空部５３を区画する、コック４の流路切換部５１が回転可能に収容されており、ホルダ本体１０の外壁には、弾性弁体３を保持すると共に、中空部５３と連通可能な第１流路１７を区画する分岐ポート部１３と、中空部５３に連通可能な、略円柱状の第２流路１８を区画する上流ポート部１１と、中空部５３に連通可能な、略円柱状の第３流路１９を区画する下流ポート部１２と、が設けられている。そして、コネクタ１は、第２流路１８に流れる液体を、中空部５３及び第１流路１７を介して、第３流路１９に供給可能である。
【００７６】
図１に矢印で示すように、分岐ポート部１３にオスコネクタ１００が挿入されていない状態では、輸液バッグからの輸液剤が、上流ポート部１１が区画する第２流路１８から、第１流路１７（流路６）を介して、下流ポート部１２が区画する第３流路１９へと流れる。具体的に、輸液剤は、図１又は図５に示すように、第２流路１８、中空部５３、ホルダ本体側流路４１の流入流路４４（キャップ支持部流路８０の一部）、接続流路４２（キャップ支持部流路８０の一部）、の順に流れ、底面キャップ流路８１に到達する。そして、底面キャップ流路８１に到達した輸液剤は、上述した突出部４０ａによる乱流の作用によって、底面キャップ１６の内壁等に接触しながら、接続流路４２（キャップ支持部流路８０の一部）、ホルダ本体側流路４１の流出流路４５（キャップ支持部流路８０の一部）、中空部５３、第３流路１９の順に流れていく。
【００７７】
このように、コネクタ１は、オスコネクタ１００が分岐ポート部１３に挿入されていない状態では、輸液ラインのメインラインの一部を構成するとともに、上述した突出部４０ａ及び仕切壁４３を備えることにより、分岐ポート部１３内での輸液の滞留を抑制する。
【００７８】
［分岐ポート部１３にオスコネクタ１００が挿入されている状態でのコネクタ１］
ここまでは、主に、オスコネクタ１００が挿入されていない状態でのコネクタ１について説明してきた。以下に、オスコネクタ１００がコネクタ１の分岐ポート部１３に挿入されている状態でのコネクタ１の各部材について説明する。
【００７９】
図１１は、コネクタ１の分岐ポート部１３に、オスコネクタ１００が挿入されている状態を示す断面であり、図１２は、同状態におけるオスコネクタ１００の先端部１０１付近の拡大断面図である。なお、図１１では、便宜上、コネクタ１としてホルダ８及びキャップ９のみを示している。
【００８０】
オスコネクタ１００がコネクタ１の分岐ポート部１３に挿入されると、オスコネクタ１００の先端部１０１が、弾性弁体３をコネクタ１の内方へと押し込むように弾性変形させ、貫通したスリット７を通じてキャップ支持部１４内の接続流路４２（図５参照）に到達する。
【００８１】
弾性弁体３は、オスコネクタ１００の挿入により弾性変形し、底面キャップ１６の内壁とオスコネクタ１００の外壁との間に入り込み、オスコネクタ１００の外面に密着した状態となる。これにより、コネクタ１の分岐ポート部１３から外部へ液体が漏れることが抑制される。
【００８２】
オスコネクタ１００の先端部１０１は、接続流路４２を区画するキャップ支持部１４の内壁に設けられた先端受け部４０に対して、弾性弁体３を挟んだ状態で突き当たり、オスコネクタの挿入方向Ａでの位置決めがされる。より具体的に、オスコネクタ１００の先端部１０１は、オスコネクタの挿入方向Ａに直交する方向Ｂにおける外壁を構成する先端周面１０１ａと、オスコネクタ１００内の液体流路の出口を区画し、オスコネクタの挿入方向Ａにおける外壁を構成する先端平面１０１ｂと、図１２の断面視において先端周面１０１ａと先端平面１０１ｂとを接続する円弧状断面を有する先端曲面１０１ｃと、を備え、オスコネクタ１００の先端部１０１のうち先端曲面１０１ｃが、先端受け部４０の先端受け面４７を、弾性弁体３を介して押圧することにより、オスコネクタ１００の挿入方向Ａにおける挿入が規制され、オスコネクタ１００の先端部１０１の挿入方向Ａにおける位置が、位置決めされる。
【００８３】
なお、本実施形態では、オスコネクタ１００の先端曲面１０１ｃが、先端受け面４７のうち第１延在部５５に受けられているが、先端曲面１０１を第２延在部５６で受けるようにしてもよい。また、本実施形態では、先端受け面４７が、弾性弁体３を介して、オスコネクタ１００の先端曲面１０１ｃを受ける構成であるが、先端受け面４７が、オスコネクタ１００の先端曲面１０１ｃの代わりに、又は先端曲面１０１ｃに加えて先端周面１０１ａや先端平面１０１ｂを受けるような構成としてもよい。更に、本実施形態では、先端受け部４０が、弾性弁体３を介して、オスコネクタ１００の先端部１０１を受ける構成であるが、先端受け部４０が、弾性弁体３を介さず、オスコネクタ１００の先端部１０１のいずれかの面と直接接触して、先端部１０１を受けるような構成としてもよい。
【００８４】
ここで、図１１及び図１２に示すように、先端受け部４０がオスコネクタ１００の先端部１０１を受けた状態において、オスコネクタ１００の先端部１０１と仕切壁４３とは非接触である。つまり、オスコネクタ１００が先端受け部４０によって受けられている状態において、オスコネクタ１００の先端平面１０１ｂは、仕切壁４３と接触しないように、仕切壁４３のうち弾性弁体３側の面は、先端受け部４０の先端受け面４７よりもコネクタ１の内方側に位置している。このような構成とすることにより、挿入されたオスコネクタ１００の液体流路からコネクタ１内へ薬液等が供給される場合であっても、仕切壁４３が、オスコネクタ１００の液体流路の出口の一部を塞がないので、オスコネクタ１００から供給される薬液等の注入抵抗を低減することができる。
【００８５】
更に、図１１及び図１２に示すようなオスコネクタ１００がコネクタ１の分岐ポート部１３に接続された状態において、上流ポート部１１から下流ポート部１２へと分岐ポート部１３の第１流路１７を介して輸液剤を流す場合（図１の矢印参照）でも、オスコネクタ１００の先端平面１０１ｂと仕切壁４３とが非接触であるため、すなわち両者の間に隙間が設けられているため、上流ポート部１１から下流ポート部１２へと流れる輸液剤の流量を確保することができる。更にまた、仕切壁４３を、上流ポート部１１から下流ポート部１２に向かう方向Ｄで見た場合に、仕切壁４３の弾性弁体３側の面には、円弧状の切欠部５８（図８参照）が形成されており、この切欠部５８の存在も、輸液剤の流量の確保に寄与している。
【００８６】
［コネクタ１を備える輸液セット１１０］
最後に、本発明の１つの実施形態としての、コネクタ１を備える輸液セット１１０について説明する。図１３は輸液セット１１０を示す図である。なお、図１３で示す輸液セット１１０は、コネクタ１として三方活栓１ａを備えるものとしているが、三方活栓１ａに代えて、上述した直線型コネクタ１ｂやＴ字型コネクタ１ｃを備える輸液セットとしてもよいが、説明の便宜上、ここでは三方活栓１ａを備えた輸液セット１１０について説明する。
【００８７】
輸液セット１１０は、図１３において図示しない輸液バッグから、図１３において同じく図示しない留置針までを接続する輸液ラインを形成するものである。具体的に、輸液セット１１０は、複数の輸液チューブ１１１と、輸液バッグから供給される輸液剤の流量を視認可能な点滴筒１１２と、輸液チューブ１１１内の輸液剤の流量を調整するクレンメ１１３と、輸液ラインに存在する空気を排出（又は供給）するエアベントフィルタ１１４と、輸液チューブ１１１を閉塞するクランプ１１５と、を備える。
【００８８】
本実施形態では、コネクタ１としての三方活栓１ａが、クレンメ１１３とエアベントフィルタ１１４との間に設けられている。コネクタ１は、点滴筒１１２から下流側に延在する第１輸液チューブ１１１ａと、エアベントフィルタ１１４の上流側に延在する第２輸液チューブ１１１ｂとの間を流通可能に接続することで輸液ラインのメインラインの流路の一部を構成する。
【００８９】
また、コネクタ１の分岐ポート部１３には、オスコネクタ１００を先端に備える第３輸液チューブ１１１ｃが接続され、輸液ラインのサブラインが構成されている。従って、コネクタ１内において、輸液ラインのメインラインとサブラインとが繋がっている。
【００９０】
なお、本実施形態では、コネクタ１を、クレンメ１１３とエアベントフィルタ１１４との間に設けたが、この位置に限られるものではなく、所望の位置に設けることが可能である。また、本実施形態の輸液セット１１０は、コネクタ１を１つのみ備える構成であるが、複数設ける構成としてもよい。
【産業上の利用可能性】
【００９１】
本発明は、コネクタ及び輸液セットに関し、特に、例えば各種医療機器や輸液容器等のオスコネクタを接続可能なコネクタ及び当該コネクタを備える輸液セットに関する。
【符号の説明】
【００９２】
１：コネクタ
１ａ：三方活栓
１ｂ：直線型コネクタ
１ｃ：Ｔ字型コネクタ
２：ハウジング
３：弾性弁体
４：コック
５：挿入部
６、１７、９４、９５：第１流路
７： スリット
８、８ｃ：ホルダ
９： キャップ
１０：ホルダ本体
１１：上流ポート部
１２：下流ポート部
１３：分岐ポート部
１４：キャップ支持部
１５：天面キャップ
１６：底面キャップ
１８、９６：第２流路
１９、９７：第３流路
２０：弾性弁体の天面
２１：弾性弁体の底面
２２：天面中心部領域
２３：天面外部領域
２４：天面環状溝
２５：側壁
２６：底面中心部領域
２７：厚肉部領域
２８：底面外部領域
２９：底面環状溝
３０：天面キャップの中空筒部
３１：天面キャップのフランジ部
３２：縁部
３３：ねじ山
３４：天面キャップの係止突起
３５：内壁
３６：延在部
３７：底面キャップの中空筒部
３８：底面キャップのフランジ部
３９：底面キャップの係止突起
４０：先端受け部
４０ａ：突出部
４１：ホルダ本体側流路
４２、９３：接続流路
４３、４３ｃ：仕切壁
４４：流入流路
４５：流出流路
４６：接続流路を区画する内壁
４７：先端受け面
４８：基部
４９：頂部
５０：溝部
５１：流路切換部
５２：把持部
５３：中空部
５４：縁
５５：第１延在部
５６：第２延在部
５７：円弧状部
５８：切欠部
６０：キャップ支持部の内壁
８０：キャップ支持部流路
８１：底面キャップ流路
９０：筒部
９１：オスルアー部
９２：流路
９８：ホルダ流路
１００：オスコネクタ
１０１：オスコネクタの先端部
１０１ａ：先端周面
１０１ｂ：先端平面
１０１ｃ：先端曲面
１１０：輸液セット
１１１：輸液チューブ
１１１ａ：第１輸液チューブ
１１１ｂ：第２輸液チューブ
１１１ｃ：第３輸液チューブ
１１２：点滴筒
１１３：クレンメ
１１４：エアベントフィルタ
１１５：クランプ
１２０：ロックコネクタ
４０１ａ：第１突出部
４０２ａ：第２突出部
Ａ：オスコネクタの挿入方向
Ｂ：オスコネクタ挿入方向に直交する方向
Ｃ：略円形状の断面を有する流路の周方向
Ｄ：上流ポート部から下流ポート部に向かう方向
Ｗ：周方向Ｃにおける突出部の幅
【図１Ａ】
2015015675.tif 000003
【図１Ｂ】
2015015675.tif 000004
【図２】
2015015675.tif 000005
【図３】
2015015675.tif 000006
【図４】
2015015675.tif 000007
【図５】
2015015675.tif 000008
【図６】
2015015675.tif 000009
【図７】
2015015675.tif 000010
【図８】
2015015675.tif 000011
【図９】
2015015675.tif 000012
【図１０】
2015015675.tif 000013
【図１１】
2015015675.tif 000014
【図１２】
2015015675.tif 000015
【図１３】
2015015675.tif 000016
【国際調査報告】
2015015675.tif 000017
2015015675.tif 000018
2015015675.tif 000019
2015015675.tif 000020